(57)【要約】【課題】部品実装機において保守管理の必要な機器であるパーツカセットや吸着ノズルの所在および履歴などを簡便に管理できる管理方法とシステムを提供する。【解決手段】データ管理部８とそのデータベース７に、各パーツカセットＰ毎の保管セクションにおける保管位置と各部品実装機における搭載位置を含む所在を示すロケーションデータおよびパーツカセットＰの履歴を示す履歴データを含む保守管理データを記録及び読み出し可能に格納し、各パーツカセットＰ毎にバーコード４などの識別符号を付与し、各パーツカセットＰの所在を、保管セクションにおける保管位置や各部品実装機における搭載位置を含む各ロケーションに移動する度に、携帯端末１１にて各パーツカセットＰのバーコード４を読み取って前記保守管理に必要な情報とともに入出力し、携帯端末１１とデータ管理部８との間でＰＨＳ無線中継器１０を介して保守管理データを送受信する。【選択図】図１
2008060610.tif 000002
【特許請求の範囲】
【請求項１】
任意の部品実装機に搭載されるとともに前記部品実装機から取り外して保管や点検や補修などの保守管理を行う必要のある機器であるパーツカセットまたは吸着ノズルの管理方法であって、
保守管理すべき前記機器の部品実装工場内における保管セクションにおける保管位置と各部品実装機における搭載位置を含む所在を示すロケーションデータおよび前記機器の履歴を示す履歴データを含む保守管理データを、前記機器毎にデータ管理部に記録及び読み出し可能に格納するにあたって、
前記機器の所在を、保管セクションにおける保管位置と各部品実装機における搭載位置を含む各ロケーションに移動する度に、前記機器毎に付与された識別符号を携帯端末により読み取り前記携帯端末により移動先のロケーションデータおよび履歴データを入力して、前記携帯端末により前記データ管理部に前記識別符号、前記ロケーションデータおよび履歴データを送信することにより、前記データ管理部にて前記機器の識別符号に対応して前記保守管理データとして前記ロケーションデータおよび履歴データを格納する
ことを特徴とする保守管理の必要な機器の管理方法。
【請求項２】
保守の対象となる前記機器の所在を問い合わせする際に、保守の対象となる前記機器の識別符号を前記携帯端末により前記データ管理部に送信し、前記機器の識別符号に対応するロケーションデータおよび履歴データを前記携帯端末により前記データ管理部から取得することを特徴とする請求項１記載の保守管理の必要な機器の管理方法。
【請求項３】
前記データ管理部は、保守管理データとして、更に前記機器の補修の履歴を示す履歴データを前記機器の識別符号毎に格納し、
前記履歴データは、前記機器の補修がされた際に、前記携帯端末により前記機器の識別符号とともに補修を行った旨入力され前記データ管理部に送信されることにより、前記データ管理部に格納されることを特徴とする請求項１記載の保守管理の必要な機器の管理方法。
【請求項４】
前記データ管理部は、保守管理データとして、更に前記機器を部品実装機に搭載したときの装着率を示す履歴データを前記機器の識別符号毎に格納し、
前記履歴データは、前記機器を部品実装機から取り外した際に、前記携帯端末により前記機器の識別符号とともに装着率が入力され前記データ管理部に送信されることにより、前記データ管理部に格納されることを特徴とする請求項１記載の保守管理の必要な機器の管理方法。
【請求項５】
任意の部品実装機に搭載されるとともに前記部品実装機から取り外して保管や点検や補修などの保守管理を行う必要のある機器であるパーツカセットまたは吸着ノズルの管理システムであって、
各別に識別するための識別符号を付した複数の機器と、
保守管理すべき前記機器の部品実装工場内における保管セクションにおける保管位置と各部品実装機における搭載位置を含む所在を示すロケーションデータおよび前記機器の履歴を示す履歴データを含む保守管理データを、前記機器毎に格納したデータベースと、
前記機器毎の前記保守管理データを前記データベースに対して記録及び読み出しを行うデータ管理部と、
前記機器の識別符号を読み取る読み取り手段を有しかつ読み取った識別符号とともに保守管理に必要な情報を入出力する機能を有する携帯端末と、
前記携帯端末と前記データ管理部との間で前記保守管理データを送受信する通信手段とを備え、
前記機器の所在を、保管セクションにおける保管位置と各部品実装機における搭載位置を含む各ロケーションに移動する度に、前記機器毎に付与された識別符号を前記携帯端末により読み取り前記携帯端末により移動先のロケーションデータおよび履歴データを入力して、前記携帯端末により前記データ管理部に前記識別符号、前記ロケーションデータおよび前記履歴データを送信することにより、前記データ管理部の前記データベースにて前記機器の識別符号に対応して前記保守管理データとして前記ロケーションデータおよび前記履歴データを格納する
ことを特徴とする保守管理の必要な機器の管理システム。
【発明の詳細な説明】
【技術分野】
【０００１】
本発明は、部品実装工場における実装ラインの各実装機に複数搭載されて部品を供給するパーツフィーダや部品を吸着保持する吸着ノズルなど、保守管理の必要な機器の管理方法とシステムに関するものである。
【背景技術】
【０００２】
例えば、電子部品実装工場では、複数の部品実装機をライン上に配列して構成した実装ラインが複数列配設されているのが通例であり、さらに大きな工場では数１０列以上配設される場合がある。そして、各部品実装機には、それぞれ１種類の部品を順次供給するように構成された部品供給手段（以下、パーツフィーダと称する）が複数並列させて搭載され、選択したパーツフィーダから供給される部品を吸着保持して基板上に実装するという動作を順次繰り返すように構成されている。また、各部品実装機に搭載されているパーツフィーダは、装着されている部品リールの部品切れが発生した場合や、装着エラーが頻発するようになった場合や、生産する回路基板の機種が変更になった場合に交換する必要がある。そのため、電子部品実装工場には、交換用に保管しているものを含めて、数１００〜数万というような大量のパーツフィーダが存在していることが多い。しかも、パーツフィーダは、その供給動作の信頼性を確保するために定期的に点検やメンテナンスが必要であるとともに、部品の装着率が低いパーツフィーダなどは補修が必要である。しかし、従来は大量のパーツフィーダの個々について、現在の所在位置や、購入日、メンテナンス日時、装着率等の履歴について管理することは行われていなかった。
【０００３】
なお、電子部品実装工場において、部品実装機に搭載される部品供給手段であるパーツフィーダにその識別情報を記録したバーコードを貼付しておき、システムサーバによって、パーツカセットのバーコードに記録された識別情報と、このパーツカセットに装着される部品リールに貼付されているバーコードに記録されている部品種類情報と初期部品数情報とを組み合わせて交換履歴情報を生成し、この交換履歴情報を用いて部品管理を行うようにした部品管理方法は知られている（例えば、特許文献１参照。）。
【特許文献１】特開２００１−１２７４８７号公報
【発明の開示】
【発明が解決しようとする課題】
【０００４】
ところが、従来の電子部品実装工場では、大量のパーツカセットが存在しかつ個々のパーツカセットの所在や履歴を管理していないので、安定した供給動作を確保するために、定期的にかつ効率的に保守管理を行おうとしても、対象とするパーツカセットが現在何処にあるのかということや、対象とするパーツカセットがどのような履歴を経たものであるかを知ることができず、そのため的確な保守管理を行うことができず、全てのパーツカセットに信頼性の高い供給動作を求めることができず、生産中に部品供給エラーのために生産がストップするというような事態が発生する恐れがあり、生産効率の向上に対して阻害要因となるという問題がある。また、パーツカセットに限らず、吸着ノズルについても同様の問題がある。
【０００５】
なお、上記特許文献１では、パーツカセットと部品リールにバーコードを貼付することで、部品管理を行うことは開示されているが、パーツカセット自体の管理を行うものではなく、パーツカセットの所在や履歴を管理することで、パーツカセットを定期的かつ効率的に保守管理することはできない。また、パーツカセット自体の管理を行うように構成し直すとしても、システムサーバと実装ラインの各実装機と部品在庫棚を回線で接続しており、システム構成が大掛かりとなって、設備コストが高くつくという問題もある。
【０００６】
本発明は、上記従来の問題点に鑑み、部品実装機のパーツカセットや吸着ノズルなど、保守管理の必要な機器の所在や履歴などを簡便に管理でき、保守管理を効率的かつ的確に行うことができる管理方法とシステムを提供することを目的とする。
【課題を解決するための手段】
【０００７】
本発明の保守管理の必要な機器の管理方法は、任意の部品実装機に搭載されるとともに前記部品実装機から取り外して保管や点検や補修などの保守管理を行う必要のある機器であるパーツカセットまたは吸着ノズルの管理方法であって、保守管理すべき前記機器の部品実装工場内における保管セクションにおける保管位置と各部品実装機における搭載位置を含む所在を示すロケーションデータおよび前記機器の履歴を示す履歴データを含む保守管理データを、前記機器毎にデータ管理部に記録及び読み出し可能に格納するにあたって、前記機器の所在を、保管セクションにおける保管位置と各部品実装機における搭載位置を含む各ロケーションに移動する度に、前記機器毎に付与された識別符号を携帯端末により読み取り前記携帯端末により移動先のロケーションデータおよび履歴データを入力して、前記携帯端末により前記データ管理部に前記識別符号、前記ロケーションデータおよび履歴データを送信することにより、前記データ管理部にて前記機器の識別符号に対応して前記保守管理データとして前記ロケーションデータおよび履歴データを格納するものであり、携帯端末にて機器の識別符号を入力することでデータ管理部に当該機器の部品実装工場内における保管セクションにおける保管位置と各部品実装機における搭載位置を含む所在を示すロケーションデータおよび履歴データを含む保守管理データを記録したり、管理部から当該機器の保守管理データを読み出すことができ、保守管理データに基づいて当該機器に対して効率的にかつ的確に保守管理を行うことができる。
【０００８】
また、保守の対象となる前記機器の所在を問い合わせする際に、保守の対象となる前記機器の識別符号を前記携帯端末により前記データ管理部に送信し、前記機器の機別符号に対応するロケーションデータおよび履歴データを前記携帯端末により前記データ管理部から取得すると、保守の対象となる前記機器の所在および履歴を速やかに確認することができる。
【０００９】
また、前記データ管理部は、保守管理データとして、更に前記機器の補修の履歴を示す履歴データを前記機器の識別符号毎に格納し、前記履歴データは、前記機器の補修がされた際に、前記携帯端末により前記機器の識別符号とともに補修を行った旨入力され前記データ管理部に送信されることにより、前記データ管理部に格納されるようにするのが好ましい。
【００１０】
また、前記データ管理部は、保守管理データとして、更に前記機器を部品実装機に搭載したときの装着率を示す履歴データを前記機器の識別符号毎に格納し、前記履歴データは、前記機器を部品実装機から取り外した際に、前記携帯端末により前記機器の識別符号とともに装着率が入力され前記データ管理部に送信されることにより、前記データ管理部に格納されるようにするのが好ましい。
【００１１】
また、本発明の保守管理の必要な機器の管理システムは、任意の部品実装機に搭載されるとともに前記部品実装機から取り外して保管や点検や補修などの保守管理を行う必要のある機器であるパーツカセットまたは吸着ノズルの管理システムであって、各別に識別するための識別符号を付した複数の機器と、保守管理すべき前記機器の部品実装工場内における保管セクションにおける保管位置と各部品実装機における搭載位置を含む所在を示すロケーションデータおよび前記機器の履歴を示す履歴データを含む保守管理データを、前記機器毎に格納したデータベースと、前記機器毎の前記保守管理データを前記データベースに対して記録及び読み出しを行うデータ管理部と、前記機器の識別符号を読み取る読み取り手段を有しかつ読み取った識別符号とともに保守管理に必要な情報を入出力する機能を有する携帯端末と、前記携帯端末と前記データ管理部との間で前記保守管理データを送受信する通信手段とを備え、前記機器の所在を、保管セクションにおける保管位置と各部品実装機における搭載位置を含む各ロケーションに移動する度に、前記機器毎に付与された識別符号を前記携帯端末により読み取り前記携帯端末により移動先のロケーションデータおよび履歴データを入力して、前記携帯端末により前記データ管理部に前記識別符号、前記ロケーションデータおよび前記履歴データを送信することにより、前記データ管理部の前記データベースにて前記機器の識別符号に対応して前記保守管理データとして前記ロケーションデータおよび前記履歴データを格納するものであり、携帯端末にて機器の識別符号を読み取ることで、データ管理部に当該機器の部品実装工場内における保管セクションにおける保管位置と各部品実装機における搭載位置を含む所在を示すロケーションデータおよび履歴データを含む保守管理データを記録したり、データ管理部から当該機器の保守管理データを読み出すことができ、保守管理データに基づいて当該機器に対して効率的にかつ的確に保守管理を行うことができ、かつ携帯端末とデータ管理部を設けてデータベースを構築するだけの簡単で低コストの設備構成にて実施することができる。
【発明の効果】
【００１２】
本発明の保守管理の必要な機器の管理方法とシステムによれば、携帯端末にて機器の識別符号を入力することでデータ管理部に当該機器の部品実装工場内における保管セクションにおける保管位置と各部品実装機における搭載位置を含む所在を示すロケーションデータおよび当該機器の履歴データを含む保守管理データを記録したり、管理部から当該機器の保守管理データを読み出すことができ、保守管理データに基づいて当該機器に対して効率的にかつ的確に保守管理を行うことができる。
【発明を実施するための最良の形態】
【００１３】
以下、本発明の保守管理の必要な機器の管理方法とシステムを部品実装工場のパーツフィーダの一例としてのパーツカセットの管理に適用した一実施形態について、図１〜図５を参照して説明する。
【００１４】
図１において、１は部品実装工場における１又は複数の実装ラインで、２は実装ライン１の部品実装機から取り外されたパーツカセットＰの補修を行う補修セクションであり、３はパーツカセットＰの保管と部品実装機に搭載するための前段取りを行う保管・前段取りセクションである。実装ライン１は、図４に示すように複数の部品実装機がライン上に配設され構成されている。なお、一例として図示する実装ライン１は、基板投入機３１、クリーム半田印刷機３２、検査機３３、接着剤塗布機３４、高速装着機３５、多機能装着機３６、検査機３７、リフロー装置３８、検査機３９、及び基板回収機４０から構成されており、各装置にはそれぞれを特定するための識別符号が設定されている。
【００１５】
部品実装機の一例としては、図５に示すようなロータリ型装着機２０が用いられる。このロータリ型装着機２０は、複数の吸着ノズル２１を備えた回転ヘッド２２と、複数のパーツカセットＰを備えた部品供給部２３と、プリント基板２４が載置されるとともにプリント基板２４の吸着ノズル２１に対する位置決めを行うＸＹテーブル２５とを備え、パーツカセットＰから供給された部品を所定の位置にて吸着ノズル２１が吸着・保持し、回転ヘッド２２の間欠回転に伴い部品を保持した吸着ノズル２１が所定の装着位置へ移動し、吸着ノズル２１が上下動して部品がＸＹテーブル２５により位置決めされたプリント基板２４の所定の位置に実装される構成である。なお、この装置における複数のパーツカセットＰは、部品供給部２３に着脱可能に搭載されており、使用する部品の種類に応じてその部品種を備えたパーツカセットＰを選択して取り付けることができる。また、吸着ノズル２１は回転ヘッド２２に対して着脱可能に取り付けられており、使用する部品の種類に応じてその部品種に適合する種類の吸着ノズル２１に交換することができる。
【００１６】
部品実装工場に新たに搬入されたパーツカセットＰに対しては、当該パーツカセットＰを識別するための識別符号としてのバーコード４が付与される。具体的には、ラベルプリンタ５にてバーコード４を印字した管理ラベル６が発行され、この管理ラベル６がパーツカセットＰの所定箇所に貼付される。また、識別符号は、パーツカセットＰの仕様や性能を示す品番と同一品番の中の何番目のものであるかを示す個番にて構成されている。
【００１７】
７はデータベースで、図２に示すように、各パーツカセットＰ毎に、パーツカセットＰを識別する品番と個番、パーツカセットＰの仕様、購入日、所在を示すロケーションデータとその更新日及び担当者、部品実装機に搭載したときの装着率、補修の担当者とその更新日など、ロケーションデータと履歴データを含む保守管理データが格納されている。８は、データベース７に対して各パーツカセットＰの上記保守管理データの記録及び読み出しを行うパソコンから成るデータ管理部であり、ＬＡＮ９を介してＰＨＳ無線中継器１０と接続されている。
【００１８】
１１は携帯端末であり、バーコード４を読み取るバーコードリーダ（図示せず）と、各種操作キーや入力キーからなるキー入力部１１ａと、データを表示する液晶画面から成る表示部１１ｂと、バーコードリーダにて読み取った識別符号とともに保守管理に必要なロケーションデータや履歴データなどを入出力する機能と、ＰＨＳ無線でＰＨＳ無線中継器１０との間で無線にて送受信する機能とを有しており、ＰＨＳ無線中継器１０及びＬＡＮ９を介してデータ管理部８との間でデータのやり取りを行うように構成されている。
【００１９】
以上の構成において、新たなパーツカセットＰが搬入され、識別符号を示すバーコード４が付与されると、携帯端末１１にてそのバーコード４を読み取るとともに、このパーツカセットＰの保管・前段取りセクション３におけるロケーションをキー入力する。その際には、図３に示すように、表示部１１ｂに表示されている機能選択の「１ ロケーション管理」を選択すると、品番・個番と移動先ロケーションの入力が指示され、品番・個番をバーコードリーダにて入力し、移動先ロケーションをキー入力部１１ａにてキー入力することで、入力した品番・個番と移動先ロケーションが表示され、その状態で登録確認キーを押すことで、これらのデータが携帯端末１１からＰＨＳ無線中継器１０、ＬＡＮ９、データ管理部８を介して当該パーツカセットＰのロケーションがデータベース７に格納される。
【００２０】
また、パーツカセットＰを保管・前段取りセクション３から実装ライン１の部品実装機に搭載する際には、上記と同様に携帯端末１１にてそのバーコード４を読み取るとともに、このパーツカセットＰを搭載する実装機のロケーションをキー入力することで、当該パーツカセットＰのロケーションがデータベース７に格納される。
【００２１】
次に、パーツカセットＰをその部品切れや回路基板の機種変換などによって実装機から取り外して補修セクション２に移動させる際には、図３に示すように、表示部１１ｂに表示されている機能選択の「２ 履歴管理」を選択すると、品番・個番の入力が指示され、バ ーコードリーダにて入力すると、前回装着率が表示されるとともに、今回装着率の入力が指示され、実装機の制御表示部から読み取った装着率をキー入力し、その状態で登録確認キーを押すことで、これらのデータが携帯端末１１からＰＨＳ無線中継器１０、ＬＡＮ９、データ管理部８を介して当該パーツカセットＰの履歴データがデータベース７に格納される。
【００２２】
次に、補修セクション２でパーツカセットＰの補修を行った際には、上記と同様に携帯端末１１にて当該パーツカセットＰのバーコード４を読み取るとともに、補修（メンテナンス）を行った日時や担当者を入力することで、当該パーツカセットＰの補修履歴がデータベース７に格納される。
【００２３】
また、メンテナンス終了後、補修セクション２から保管・前段取りセクション３に移管する際には、上記のようにこのパーツカセットＰの保管・前段取りセクション３におけるロケーションをキー入力することで、当該パーツカセットＰのロケーションがデータベース７に格納される。
【００２４】
さらに、任意のパーツセットＰのロケーションや履歴を問い合わせる際には、図３に示すように、表示部１１ｂに表示されている機能選択の「３  問合せ」を選択すると、品番・個番の入力が指示され、バーコード表の中の該当するバーコードを携帯端末１１のバーコードリーダにて読み取って入力すると、携帯端末１１からＰＨＳ無線中継器１０、ＬＡＮ９、データ管理部８を介してデータベース７にアクセスし、当該パーツカセットＰの保守管理データが読み出され、ロケーションデータや、装着率などの履歴と現在のロケーションに関する保守管理データが携帯端末１１の表示部１１ｂに表示される。かくして、対象とするパーツカセットＰが何処に所在していても、そのロケーションを知ることができるとともに履歴データを知ることができ、その保守管理データに基づいて当該パーツカセットＰに対して的確な保守管理を行うことができる。
【００２５】
以上の実施形態においては、保守管理の必要な機器としてパーツフィーダの一例としてのパーツカセットＰの保守管理方法とシステムを説明したが、本発明は図示例のものに限らず各種パーツフィーダに適用することができる。また、本発明はパーツフィーダに適用することに限らず、部品実装機の一例としてのロータリ型装着機２０における吸着ノズル２１の保守管理にも適用することができるほか、ＸＹロボット装着機等の各種の部品実装機にも適用することで大きな効果を発揮することができる。さらに、本発明は、部品実装機に限らず、任意の装置に搭載若しくは装着されるとともに装置から取り外して保管や点検や補修などの保守管理を行う必要のある各種の機器にも好適に適用することができ。また、識別符号としてはバーコード以外にＩＣタグ等を適用しても同様の効果を奏することができる。
【産業上の利用可能性】
【００２６】
本発明の保守管理の必要な機器の管理方法は、各機器毎の保守管理データをデータ管理部に記録及び読み出し可能に格納し、各機器毎に識別符号を付与し、各機器の所在を、保管セクションにおける保管位置と各部品実装機における搭載位置を含む各ロケーションに移動する度に、機器の識別符号を読み取って保守管理に必要な情報とともに携帯端末にてデータ管理部に対して当該機器の保守管理データの記録や保守管理データの読み出しを行うことで、保守管理データに基づいて効率的にかつ的確に保守管理を行うことができるので、部品実装機に搭載若しくは装着されるとともに装置から取り外して保管や点検や補修などの保守管理を行う必要のあるパーツカセットや吸着ノズルの管理に有用である。
【図面の簡単な説明】
【００２７】
【図１】本発明の一実施形態におけるパーツカセットの保守管理システムの構成図である。
【図２】同実施形態におけるデータベースの説明図である。
【図３】同実施形態の携帯端末における各処理と表示画面の説明図である。
【図４】同実施形態における実装ラインの一例を示す斜視図である。
【図５】同実施形態における部品実装機の一例としてのロータリ型装着機の構成を示す斜視図である。
【符号の説明】
【００２８】
Ｐ  パーツカセット（保守管理を必要とする機器）
４  バーコード（識別符号）
７  データベース
８  データ管理部
１０  ＰＨＳ無線中継器
１１  携帯端末
２０  ロータリ型装着機
２１吸着ノズル
【図１】
2008060610.tif 000003
【図２】
2008060610.tif 000004
【図３】
2008060610.tif 000005
【図４】
2008060610.tif 000006
【図５】
2008060610.tif 000007